(57)【特許請求の範囲】
【請求項１】
データを記憶するデータ記憶装置に蓄積されているデータを伝送路を介して、データ表示画面を有する端末装置に伝送するデータ伝送装置において、
端末装置に伝送するデータを指定するデータ名を端末装置から入力し、データ記憶装置から得られたデータを端末装置に伝送する通信制御装置と、
上記通信制御装置が端末装置から入力したデータ名に基づいてデータ記憶装置から端末装置へ伝送するデータを取得するとともに、上記通信制御装置を介して得られる情報に基づいて、取得したデータを加工して上記通信制御装置に出力するデータ加工部と
を備え、
上記通信制御装置は、上記端末装置のデータ表示画面にデータを表示するデータ表示領域を複数個の表示領域に分割することを指定する分割情報と、複数個の表示領域のうち一部の表示領域を指定する部分情報とを有する設定情報を上記データ名に付加した新たなデータ名を入力し、
上記データ加工部は、
上記通信制御装置を介して入力した新たなデータ名から設定情報を抽出する設定情報抽出装置と、
上記設定情報抽出装置が抽出した設定情報の分割情報と部分情報とにより指定されるデータを、上記データ記憶装置から取得したデータから切り出して、切り出したデータを上記通信制御装置に出力するデータ部分切出し装置とを備えた
ことを特徴とするデータ伝送装置。
【請求項２】
上記データ加工部は、データ内容を変換する変換方式を記憶した変換表と、
上記データ部分切出し装置が切り出したデータを、上記変換表に指定された変換方式に従って変換して、上記通信制御装置に出力するデータ変換部と
を備えたことを特徴とする請求項１記載のデータ伝送装置。
【請求項３】
上記データ変換部は、少なくとも、
上記データ部分切出し装置が切り出したデータを、指定されたデータ形式に変換するデータ形式変換装置と、
上記データ部分切出し装置が切り出したデータを、指定されたデータ品質に変換するデータ品質変換装置と、
上記データ部分切出し装置が切り出したデータを、指定されたデータ表示サイズに変換するデータ表示サイズ変換装置とのいずれか１つを備えたことを特徴とする請求項２記載のデータ伝送装置。
【請求項４】
上記データ伝送装置は、データ記憶装置を有するサーバ装置であることを特徴とする請求項１記載のデータ伝送装置。
【請求項５】
上記データ伝送装置は、データ記憶装置を有する１つ以上のサーバ装置と上記通信制御装置を介して接続される中継装置であり、中継装置は、通信制御装置を介してサーバ装置からデータを取得することを特徴とする請求項１記載のデータ伝送装置。
【請求項６】
上記データ加工部は、データ記憶装置から取得したデータのデータ形式が所定の言語であるか否かを判定するデータ形式判定装置と、
上記データ形式判定装置で判定したデータ形式が所定の言語である場合に、上記データとともに表示される別のデータを指定するデータ名に、上記設定情報抽出装置で抽出した設定情報を付加して、通信制御装置に出力する同時表示データ名設定情報付加装置と
を備えたことを特徴とする請求項１記載のデータ伝送装置。
【請求項７】
上記データ加工部は、データを伝送する伝送先の情報を蓄積した伝送先情報蓄積部と、
伝送先情報蓄積部に蓄積された伝送先の情報に基づいて、伝送先と上記変換表との対応付けをする伝送先情報管理装置と
を備えたことを特徴とする請求項２記載のデータ伝送装置。
【請求項８】
上記データ加工部は、データ記憶装置から取得したデータのデータ形式が所定の言語であるか否かを判定するデータ形式判定装置と、
上記データ形式判定装置で判定したデータのデータ形式が所定の言語である場合に、端末装置での表示が選択可能な選択データを指定する選択データ名と上記設定情報とを上記データに付加して、通信制御装置に出力する選択データ名設定情報付加装置と
を備えたことを特徴とする請求項１記載のデータ伝送装置。
【請求項９】
上記データ加工部は、上記データ形式判定装置で判定したデータのデータ形式が所定の言語である場合で、その言語とともに表示するデータが複数ある場合、上記複数のデータに対するデータ変換を伴うデータ内容に関連付けられた選択データ名を複数のデータのいずれかに付加して、通信制御装置に出力する選択データ名設定情報付加装置を備え、選択データ名が付加されたデータが選択されることにより、複数のデータのデータ変換を行うことを特徴とする請求項８記載のデータ伝送装置。
【発明の詳細な説明】
【０００１】
【発明の属する技術分野】
本発明は、サーバ装置に蓄積・構成されている画像、文書などのデータを遠隔にある端末装置で受信し、表示する遠隔データ伝送・表示システムに関するものである。特に、画像、文書などのデータを一部分だけ伝送するサーバ装置や中継装置に関するものである。
【０００２】
【従来の技術】
従来、サーバ装置に蓄積・構成されている画像、文書などのデータを伝送路を介してユーザが操作する端末装置に伝送し、表示するには、特開平５−３０３７０のように、まず、サーバ装置に蓄積されているデータ内容を文字列で構成されたデータ名として端末装置で閲覧し、ユーザはそのデータ名を手がかりに選択し、関連付けられた画像や文書のデータ内容を受信し、表示するようにしていた。
図２７は、従来のデータ伝送・表示システムの構成図である。
図において、１は端末装置、２ａはサーバ装置、３は端末装置１とサーバ装置２を接続する伝送路である。
端末装置１は、伝送路３を用いた通信を行うための通信制御装置４と、データ閲覧部５と、データ閲覧部５で閲覧したデータ内容を一時的に保管するデータ一時蓄積部６を備えている。データ閲覧部５は、表示・実行するためのデータ内容をユーザに選択可能にするデータ名選択装置７と、このデータ名選択装置７により選択したデータ名を表示するデータ内容表示装置８と、データ名選択装置７により選択したデータ名のデータ内容がハイパーテキスト言語であった場合、その言語と同時にデータ内容表示装置８で表示するデータ名を取出す同時表示データ名取出し装置９を備えている。
サーバ装置２ａは、伝送路３を用いた通信を行うための通信制御装置１０と、その端末装置またはユーザと通信しているかを管理するユーザ・端末管理装置１１と、端末装置１側で表示できるデータを蓄積するデータ内容蓄積部１２と、データ内容を選択し取出すために必要なデータ名を蓄積するデータ名蓄積部１３と、データ内容とデータ名の関連を管理するデータ管理装置１４とを備えている。
【０００３】
図２８は、図２７の従来のシステムにおいて、ユーザがデータ名選択装置７とデータ内容表示装置８を兼ね備えたインターネット閲覧ソフトウェアからデータ名を入力し、データ内容を表示した画面例を示す。
この図２８は、ユーザがキーボード等でデータ名を入力することにより、それに関連付けられた画像データをロードし表示した画面例を示したものである。
【０００４】
また、最近では、ネットワーク技術や端末装置におけるデータの閲覧ソフトウェアの発展により、ＷＷＷ（World Wide Web）に代表されるシステムのように、さまざまな種類のサーバ装置にあるデータがさまざまな種類の伝送路を介して、さまざまな種類の端末装置の閲覧ソフトウェアで表示、実行できるようになってきた。
【０００５】
さらに、ＷＷＷに代表されるシステムでは、ハイパーテキスト言語を用いて、閲覧ソフトウェアに表示された画像とサーバ装置にある別のデータのデータ名を関連付けることができ、表示画面上で画像を選択すると、関連付けられたデータ名でサーバに自動的に検索に行き、画像や文書のデータ内容を受信し、表示できる。
【０００６】
【発明が解決しようとする課題】
このような従来のデータ伝送・表示システムでは、サーバ装置に蓄積されている画像や文書データは、比較的高速な伝送路を介することを条件として作成されていることが多いので、電話回線や広域無線通信などの低速伝送路を介して伝送すると、伝送時間が非常にかかってしまい、操作者からの要求に対して実用的な時間で端末装置に表示させることができないという問題点があった。
【０００７】
また、サーバ装置に蓄積されている画像や文書データは、比較的高速な処理ができる端末装置で実行・表示されることを条件として作成されていることが多いので、携帯端末など比較的低速な処理しかできない端末装置では、表示時間が非常にかかってしまい、操作者からの要求に対して実用的な時間で端末装置に表示させることができないという問題点があった。
【０００８】
特に、図面等の高精細で表示サイズの大きな画像データを要求する場合、実際に端末上で閲覧したいのは、その一部であることが多い。また、端末の表示画面の大きさの制約上、その画像の一部しか表示できないこともある。そのため、従来は、端末側に全てのデータを伝送し、画像の一部切り取り、表示サイズの調整の処理を端末側で行ってから実際に画面表示を行っていた。このため、先に述べたような低速伝送路で比較的低速な処理しかできない端末装置では、伝送時間に加え処理時間が非常にかかってしまい、実用的な時間で表示できないという問題点があった。
【０００９】
この発明は、以上の問題点を解決するためになされたもので、特に、端末装置として、比較的低速な処理能力しか持たない携帯端末を用いることができるデータ伝送装置を得ることを目的とする。
また、伝送路として比較的低速な電話回線や広域無線通信を用いることができるデータ伝送装置を得ることを目的とする。
【００１０】
【課題を解決するための手段】
この発明に係るデータ伝送装置は、データを記憶するデータ記憶装置に蓄積されているデータを伝送路を介して、端末装置に伝送するデータ伝送装置において、
端末装置から端末装置に伝送するデータを指定するデータ名を入力し、データ記憶装置から得られたデータを端末装置に伝送する通信制御装置と、
上記通信制御装置が入力したデータ名に基づいてデータ記憶装置から端末装置へ伝送するデータを取得するとともに、上記通信制御装置を介して得られる情報に基づいて、取得したデータを加工して上記通信制御装置に出力するデータ加工部と
を備えたことを特徴とする。
【００１１】
上記データ伝送装置は、データ記憶装置を有するサーバ装置であることを特徴とする。
【００１２】
上記データ伝送装置は、データ記憶装置を有する１つ以上のサーバ装置と上記通信制御装置を介して接続される中継装置であり、中継装置は、通信制御装置を介してサーバ装置からデータを取得することを特徴とする。
【００１３】
上記通信制御装置は、端末装置からデータを加工するための設定情報をデータ名とともに入力し、上記データ加工部は通信制御装置が入力した設定情報に基づいてデータを加工することを特徴とする。
【００１４】
上記通信制御装置は、伝送路の伝送速度情報を保持し、上記データ加工部は通信制御装置が保持している伝送速度情報に基づいてデータを加工することを特徴とする。
【００１５】
上記データ加工部は、通信制御装置を介して入力したデータ名に付加された特定の設定情報を抽出する設定情報抽出装置と、
上記設定情報に基づいてデータ記憶装置から取得したデータの一部を切り出すデータ部分切出し装置と
を備えたことを特徴とする。
【００１６】
上記データ加工部は、通信制御装置から入手した伝送速度情報に基づいてデータ記憶装置から取得したデータの一部を切り出すデータ部分切出し装置を備えたことを特徴とする。
【００１７】
上記データ加工部は、データ記憶装置から取得したデータのデータ形式が所定の言語であるか否かを判定するデータ形式判定装置と、
上記データ形式判定装置で判定したデータ形式が所定の言語である場合に、上記データとともに表示される別のデータを指定するデータ名に、上記設定情報抽出装置で抽出した設定情報を付加して、通信制御装置に出力する同時表示データ名設定情報付加装置と
を備えたことを特徴とする。
【００１８】
上記データ部分切出し装置は、設定情報とさらに、通信制御装置が保持している伝送速度情報とに基づいてデータの一部を切り出すことを特徴とする。
【００１９】
上記データ加工部は、データ内容を変換する変換方式を記憶した変換表と、
データ記憶装置から取得したデータを上記変換表に指定された変換方式に従って変換するデータ変換部と
を備えたことを特徴とする。
【００２０】
上記データ変換部は、少なくとも、
取得したデータを指定されたデータ形式に変換するデータ形式変換装置と、
取得したデータを指定されたデータ品質に変換するデータ品質変換装置と、
取得したデータを指定されたデータ表示サイズに変換するデータ表示サイズ変換装置とのいずれか１つを備えたことを特徴とする。
【００２１】
上記データ加工部は、データを伝送する伝送先の情報を蓄積した伝送先情報蓄積部と、
伝送先情報蓄積部に蓄積された伝送先の情報に基づいて、伝送先と上記変換表との対応付けをする伝送先情報管理装置と
を備えたことを特徴とする。
【００２２】
上記データ加工部は、データ記憶装置から取得したデータのデータ形式が所定の言語であるか否かを判定するデータ形式判定装置と、
上記データ形式判定装置で判定したデータのデータ形式が所定の言語である場合に、端末装置での表示が選択可能な選択データを指定する選択データ名と所定の設定情報とを上記データに付加して、通信制御装置に出力する選択データ名設定情報付加装置と
を備えたことを特徴とする。
【００２３】
上記データ加工部は、通信制御装置を介して入力したデータ名に付加された特定の設定情報を抽出する設定情報抽出装置と、
上記設定情報抽出装置で抽出した設定情報が、所定の言語によるデータの作成を指示する識別子である場合に、所定の言語によるデータを作成する言語作成装置と
を備えたことを特徴とする。
【００２４】
上記言語作成装置は、上記設定情報抽出装置で抽出した設定情報に基づいて、データの部分によってデータの加工方法を変えることを指定することができる所定の言語によるデータを作成することを特徴とする。
【００２５】
上記データ加工部は、上記データ形式判定装置で判定したデータのデータ形式が所定の言語である場合で、その言語とともに表示するデータが複数ある場合、上記複数のデータに対するデータ変換を伴うデータ内容に関連付けられた選択データ名を複数のデータのいずれかに付加して、通信制御装置に出力する選択データ名設定情報付加装置を備え、選択データ名が付加されたデータが選択されることにより、複数のデータのデータ変換を行うことを特徴とする。
【００２６】
【発明の実施の形態】
図１は、この発明の実施の形態１〜１１のデータ伝送・表示システムの構成図である。
図において、１は端末装置、２はサーバ装置、３は端末装置１とサーバ装置２を接続する電話回線や広域無線通信などの比較的低速な伝送路である。
端末装置１は、伝送路３を用いた通信を行うための通信制御装置４と、データ閲覧部５とデータ閲覧部５で閲覧したデータ内容を一時的に保管するデータ一時蓄積部６を備えている。データ閲覧部５は、表示・実行するためのデータ内容をユーザに選択可能にするデータ名選択装置７と、このデータ名選択装置７により選択したデータ名を表示するデータ内容表示装置８と、データ名選択装置７により選択したデータ名のデータ内容がハイパーテキスト言語であった場合、その言語と同時にデータ内容表示装置８で表示するデータ名を取出す同時表示データ名取出し装置９を備えている。
サーバ装置２は、伝送路３の通信速度又は通信媒体又は通信能力等を通信速度情報として保持するとともに、伝送路３を用いた通信を行うための通信制御装置１０と、その端末装置又はユーザと通信しているかを管理するユーザ・端末管理装置１１と、端末装置１側で表示できるデータを蓄積するデータ内容蓄積部１２と、データ内容を選択し取出すために必要なデータ名を蓄積するデータ名蓄積部１３と、データ内容とデータ名の関連を管理するデータ管理装置１４と、データ加工部１５と、端末設定情報管理装置１６と、端末設定蓄積部１７とを備えている。
データ加工部１５は、設定情報抽出装置１８とハイパーテキスト言語作成装置１９とテキスト蓄積部２０とデータ形式判定装置２１と同時表示データ名設定情報付加装置２２とユーザ選択データ名設定情報付加装置２３とデータ部分切出し装置２４とデータ変換部２５とを備えている。設定情報抽出装置１８は、特定の設定情報をデータ名に付加した新たなデータ名から設定情報を取出すものである。ハイパーテキスト言語作成装置１９は、設定情報抽出装置１８で取出した設定情報に応じてテキスト蓄積部２０の情報を組み合わせてハイパーテキスト言語を作成するものである。データ形式判定装置２１は、データ管理装置１４からのデータ内容がどのような形式のデータか判定するものである。同時表示データ名設定情報付加装置２２は、ハイパーテキスト言語データの内容に、このデータと同時に表示されるデータ内容を取出すデータ名が記述された部分に設定情報を付加するものである。ユーザ選択データ名設定情報付加装置２３は、ハイパーテキスト言語データの内容に、このデータと同時に表示されるデータ内容を携帯端末においてユーザが選択することにより、新たなデータ内容を取出すことが可能なようにデータ名及び設定情報をユーザ選択データ名として付加するものである。データ部分切出し装置２４は、設定情報を参照して、データの一部を切り出すものである。
データ変換部２５は、データ表示サイズ変換装置２６、データ品質変換装置２７、データ形式変換装置２８、及び変換表２９からなる。データ表示サイズ変換装置２６は、データ部分切出し装置２４からのデータ内容を変換表２９を参照してデータ内容の表示サイズを変換するものである。データ品質変換装置２７は、データ部分切出し装置２４からのデータ内容を変換表２９を参照してデータ内容の品質を変換するものである。データ形式変換装置２８は、データ部分切出し装置２４からのデータ内容を変換表２９を参照してデータ内容の形式を変換するものである。
また、９８はデータ伝送装置であり、９９はデータ記憶装置である。
【００２７】
実施の形態１．
図２は、図１に示した構成図からこの実施の形態で用いる構成を示す図である。
図３は、図１において、ユーザが上記インターネット閲覧ソフトウェアからデータ名を入力し、データ内容の一部分を表示した画面例を示す。
この図３において、ユーザがキーボード等で設定情報を付加したデータ名を入力することにより、それに関連付けられたデータ内容の一部をロードし表示した画面例を示したものである。このとき、サーバ装置２の設定情報抽出装置１８及びデータ部分切出し装置２４は、図４に示すような動作フローとなる。
【００２８】
図４を用いて、この実施の形態１のデータ伝送・表示システムの動作フローを説明する。
ステップＳ４１において、ユーザがデータ名選択装置７において入力操作を行うと、ステップＳ４２においてサーバ装置２の設定情報抽出装置１８において、送られてきたデータ名から設定情報を抽出し、抽出後のデータ名をデータ管理装置１４に送る。ステップＳ４３において、サーバ装置２のデータ管理装置１４は、送られてきたデータ名より、データ内容を検索する。次に、データ内容を受取ったデータ部分切出し装置２４は、ステップＳ４４で設定情報抽出装置１８で取出された設定情報、及び／又は、通信制御装置１０から通知される伝送速度情報に沿ってデータ内容の部分切り出しを行い、要求された端末装置１に伝送する。伝送された内容を受取った端末装置１は、ステップＳ４５でデータ内容表示装置８においてデータ内容を表示する。
設定情報は、所定の文法で記述されているものとし、設定情報抽出装置１８は、その文法を解釈できるものとする。
例えば、データ名が“abcdef.fig”の画像データで、設定情報“**2-2-4** ”を付加したデータ名が“**2-2-4**abcdef.fig ”だった場合は、受取った設定情報抽出装置１８は、“**2-2-4** ”を設定情報として取出し、画像ファイル名“abcdef.fig”をデータ名としてデータ管理装置１４に送る。設定情報“**2-2-4** ”は、画像データを縦２分割、横２分割した右下端の部分のデータを意味するものとする。データ管理装置１４で検索した画像のデータ内容をデータ部分切出し装置２４は、設定情報“**2-2-4** ”を用いて、画像データを縦２分割、横２分割した右下端の部分のデータを切り出すと解釈し、及び／又は、伝送路の速度を考慮して切り出す範囲を決定し、データ内容を切り出して、端末装置１に切り出したデータ内容を送る。端末装置１は、その４分の１に切り取られたデータ内容を表示することになる。
【００２９】
この実施の形態に係るデータ伝送・表示システムにおいては、サーバ装置に蓄積・構成されている画像、文書などのデータを伝送路を介して端末装置に伝送し、この端末装置で受信し、表示するデータ伝送システムにおいて、上記サーバ装置は、上記端末装置と伝送路を用いた通信を行うための通信制御装置と、どの端末装置又はユーザと通信しているかを管理するユーザ・端末管理装置と、端末装置側で表示できるデータを蓄積するデータ内容蓄積部と、データ内容を選択し、取り出すために必要なデータ名を蓄積するデータ名蓄積部と、データ内容とデータ名の関連を管理するデータ管理装置と、特定の設定情報をデータ名に付加した新たなデータ名からデータの一部を取り出すのに必要な設定情報を取り出す設定情報抽出装置と、取り出したデータを識別情報を参照して、そのデータの一部を切り出すデータ部分切出し装置とを備えており、また、上記端末装置は、上記サーバ装置との伝送路を用いた通信を行うための通信制御装置と、
表示するためのデータ内容をユーザに選択可能にするデータ名選択装置と、このデータ名選択装置より選択したデータ名のデータ内容を表示するデータ内容表示装置と、選択したデータ名のデータ内容を一時保存するデータ一時蓄積部とを備えており、さらに上記サーバ装置は、端末からの要求と、伝送路の伝送速度に合わせてデータ内容の部分切り出しの範囲を、サーバ装置で決定し、データ内容を切り出してから端末装置に伝送するものである。
【００３０】
なお、設定情報は、例に挙げた以外でもよく、また、切り出すデータ内容は画像以外のデータ、例えば文書データや動画などでもよい。
また、伝送速度情報に沿ってデータ内容の部分切り出しを行う場合は、設定情報が入力されなくてもよい。設定情報が入力されない場合、図２９に示すように、設定情報抽出装置１８は不要であり、データ部分切出し装置２４は、通信制御装置１０から伝送速度情報を受け取り、伝送速度に沿ってデータ内容の部分切り出しを行う。
【００３１】
実施の形態２．
次に、実施の形態２について図３０を用いて説明する。
このとき、サーバ装置のデータ加工部１５は、図５に示すような動作フローとなる。
また、このときの設定情報は、図６に示すようになる。
また、このときのデータ内容蓄積部１２にあるハイパーテキスト言語の例は、図７に、また、同時表示データ名設定情報付加装置２３において設定情報を付加したハイパーテキスト言語は図８に示すようになる。
【００３２】
図５を用いて、この実施の形態２のデータ伝送・表示システムの動作フローを説明する。
ステップＳ６１において、ユーザが端末装置１のデータ名選択装置７において入力操作を行うと、ステップＳ６２において、サーバ装置２の設定情報抽出装置１８において送られてきたデータ名から設定情報を抽出し、抽出後のデータ名をデータ管理装置１４に送る。ステップＳ６３において、サーバ装置２のデータ管理装置１４は、送られてきたデータ名より、データ内容を検索する。次に、データ内容を受け取ったデータ形式判定装置２１は、ステップＳ６４においてデータ内容がハイパーテキスト言語かそれ以外のデータ内容（例えば、画像データやイメージデータ）かを判定し、ハイパーテキスト言語である場合にはステップＳ６５に、そうでない場合にはステップＳ６７に進む。ステップＳ６５において、同時表示データ名設定情報付加装置２２において、設定情報を付加する。例えば、ステップＳ６４において、図７のようなハイパーテキスト言語が送られてきた場合には、図８のように、設定情報“**2-2-4** ”を“test1.fig ”に付加する。次に、このハイパーテキスト言語が伝送された端末装置１は、ステップＳ６６において、同時表示データ名取出し装置９で同時に表示するデータ名“**2-2-4-**test1.fig ”を取り出し、ステップＳ６２に進む。そして、そのデータ名でステップＳ６２〜Ｓ６４を再び実行する。また、ハイパーテキスト言語を、ステップＳ６８においてデータ内容表示装置８で表示する。
ステップＳ６４において、ハイパーテキスト言語でないと判定された場合、ステップＳ６７において、データ部分切出し装置２４は、設定情報抽出装置１８で取り出された設定情報と伝送速度に沿ってデータ内容の部分切り出しを行い、要求された端末装置１に伝送する。伝送されたデータ内容を受け取った端末装置１は、ステップＳ６８において、データ内容表示装置８においてデータ内容を表示する。
【００３３】
ここでは、切り出し範囲をユーザが入力した設定情報から決定したが、データ部分切出し装置２４は、通信制御装置１０から通信速度情報として通知される端末装置とサーバ装置の間の伝送路の性能に合わせて、切り出す範囲を決定してもよい。
以上のように、この実施の形態は、ユーザがデータ名選択装置で選択したデータ名のデータ内容がハイパーテキスト言語の場合に、その内容に記述された同時に表示するデータ内容のデータ名に設定情報を付加することにより、端末からの要求と、及び／又は、伝送路の伝送速度に合わせて１つ以上のデータ内容の部分切り出しの範囲を、サーバ装置で決定し、データ内容を切り出してから端末装置に伝送するものである。
【００３４】
実施の形態３．
次に、実施の形態３について図３１を用いて説明する。
このときサーバ装置のデータ変換部２５は、図９に示すような動作フローとなる。また、このときの変換表は、図１０，図１１のようなものとする。
この実施の形態３では、上記実施の形態２において、図１におけるデータ部分切出し装置２４と通信制御装置１０の間にデータ変換部２５を挿入した形態となっており、データ部分切出し装置２４から送られたデータ内容は、データ変換部２５を通って、通信制御装置１０に伝送される。
【００３５】
図９を用いて、実施の形態３のデータ伝送・表示システムの動作フローを説明する。
端末装置１より伝送されたデータ名からサーバ装置２のデータ管理装置１４で検索したデータ内容は、ステップＳ９１において、設定情報や伝送速度に応じてデータ部分切出し装置２４で部分切り出しを行い、データ変換部２５に送る。データ変換部２５では、ステップＳ９２において、データ形式変換装置２８が、変換表２９に応じてデータ内容のデータ形式を変換する。次に、データ品質変換装置２７が、変換表２９に応じてデータ内容のデータ品質を変換する。そして、データ表示サイズ変換装置２６が、変換表２９に応じてデータの表示サイズを変換する。
例えば、データ内容がサイズ１０ＫｂｙｔｅのＧＩＦファイルであり、また、変換表２９が図１０に示すような表であったとすると、データ変換部２５により、表示サイズが半分に縮小され、品質が１０％に落とされたＪｐｅｇファイルに変換されることになる。また、図１０に示すように、データ内容だけでなくデータ名も対象条件とすることもできる。図１０では、データ名の先頭２文字が“**”又は“++”の場合に、データ変換の対象となりうることを示している。
【００３６】
また、図１１に示すようにイメージ以外のデータ内容にも適用でき、例えば、書式付き文書データやＣＡＤ図面、動画データなども変換対象とすることも可能である。
【００３７】
また、変換表２９は、ユーザが自由に定義、変更可能なように、例えば、サーバ装置２において、外部ファイルとして登録、蓄積しておくこも可能である。
【００３８】
実施の形態４．
次に、実施の形態４について図３２を用いて説明する。
この実施の形態４では、上記実施の形態３において、図１における変換表２９を複数個用意しておき、端末設定蓄積部１７の情報に応じて、表を入れ替えることにより、端末毎の変換が可能となるようにしたものである。例えば、端末設定蓄積部１７が図１２に示すような場合で、かつ、端末Ａから要求があった場合には、変換表は２ということになる。また、図１２に示すように部分切り出し方式も端末毎に蓄積、利用可能である。
以上のように、この実施の形態のサーバ装置は、さらにユーザ又は端末装置毎にデータ切り出し位置や範囲と、データ形式、データ品質、データ表示サイズの設定が可能な端末設定情報管理装置と、それらの設定情報を蓄積する端末設定蓄積部を備え、複数の異なる伝送速度や処理速度、表示性能の端末装置からでも表示可能としたものである。
【００３９】
なお、この実施の形態４では、端末設定蓄積部１７に端末名を登録したが、これは、伝送先情報蓄積部の一例であり、端末名の代わりに他の条件を、用いてもよい。例えば、ユーザ名を登録しておけばユーザ毎の設定が可能であり、また、伝送路の速度ランクを登録しておけば、接続する伝送路毎の設定も可能である。また、複数の条件を同時に登録しておいてもよい。例えば、端末、ユーザ、伝送路の３条件に応じた設定も可能である。
また、端末設定情報管理装置１６、及び／又は、ユーザ・端末管理装置１１は、伝送先情報管理装置の一例である。
【００４０】
実施の形態５．
次に、実施の形態５について図３３を用いて説明する。
図１３は、図１においてユーザがデータ閲覧部５を備えたインターネット閲覧ソフトウェアからデータ名を入力することにより、それに関連付けられたデータ内容が低品質となって表示され、次に、ユーザがその表示されたデータ内容の一部をマウス等で選択すると、選択した部分のデータ内容の一部が高品質で表示される画面例を示したものである。
このとき、端末装置１及びサーバ装置２は、図１４と図１５に示すような動作フローとなる。
また、このときに流れるハイパーテキスト言語は、図７及び図１６に示すようになる。
【００４１】
図１４と図１５を用いて、この実施の形態５のデータ伝送・表示システムの動作フローを説明する。
ステップＳ１４１において、ユーザが端末装置１のデータ名選択装置７を用いてデータ名を入力すると、データ名はサーバ装置２に伝送される。次に、ステップＳ１４２において、サーバ装置２の設定情報抽出装置１８では、データ名に設定情報があればデータ名から設定情報を取出す。次に、データ名を受取ったデータ管理装置１４は、ステップＳ１４３において、データ名よりデータ内容を検索する。次に、データ内容を受取ったデータ形式判定装置２１は、ステップＳ１４４において、データ内容がハイパーテキスト言語かどうか判定する。ハイパーテキスト言語であった場合、ステップＳ１４５において、ユーザ選択データ名設定情報付加装置２３においてハイパーテキスト言語の同時表示データ名“test1.fig ”の部分にユーザ選択データ名を追加し、端末装置１に伝送する。受取った端末装置１は、ステップＳ１４６において、同時表示データ名取出し装置９により、ハイパーテキスト言語から、同時に表示するデータ内容のデータ名を取出し、データ名をサーバ装置２に伝送する。そして、そのデータ名でステップＳ１４２〜Ｓ１４４を再実行する。また、ハイパーテキスト言語は、ステップＳ１４８において、データ内容表示装置８にて表示する。ステップＳ１４４において、ハイパーテキスト言語でなかった場合（例えば、画像データやイメージデータの場合）には、ステップＳ１４７において、データ変換部２５でデータ内容を変換表２９に応じて変換し、端末装置１に伝送する。このデータ内容は、同時表示データ名“test1.fig ”に関連付けられたデータ内容である。受取った端末装置１は、データ内容表示装置８においてすでに表示したハイパーテキスト言語と同じ画面上にデータ内容を表示する。
例えば、サーバ装置２のデータ内容蓄積部１２にあるユーザが入力したデータ名“kkkk.html ”に関連付けられたハイパーテキスト言語が図７であった場合、サーバ装置２のユーザ選択データ名設定情報付加装置２３において、<a href =“**2-2-4**test1.fig”> 及び</a>のアンカー情報が追加され、図１６に示すハイパーテキスト言語が作成される。この場合、ユーザ選択データ名設定情報付加装置２３により、あらかじめ指定された設定情報“**2-2-4** ”が付加されるものとする。また、ステップＳ１４６で同時表示データ名取出し装置９により、<img src=“test1.fig”> より、“test1.fig ”のデータ名が取り出され、ステップＳ１４２〜Ｓ１４４，Ｓ１４７，Ｓ１４８によりこれに関連付けられたデータ内容が、先ほどのハイパーテキスト言語と共に表示される。この際、“test1.fig ”が、サイズ５Ｋｂｙｔｅ以上のＪｐｅｇ形式のデータであるとすれば、かつ、図１０に示す変換表に基づいて変換するとすれば、表示サイズはそのままＪｐｅｇ形式で、品質が１０％に落としたデータを表示する。
【００４２】
さらに、ステップＳ１４９において、ユーザがハイパーテキスト言語と同じ画面に表示された、アンカー情報が付加されたデータ内容をマウス等を用いて選択すると、データ内容に付加されたアンカー情報により“**2-2-4-**test1.fig ”というユーザ選択データ名がサーバ装置２に伝送される。伝送されたデータ名は、ステップＳ１４１０において、サーバ装置２の設定情報抽出装置１８において設定情報を抽出し、次に、ステップＳ１４１１において、データ管理装置１４でデータ名に関連付けられたデータ内容を検索する。検索されたデータ内容は、データ形式判定装置２１でハイパーテキスト言語であると判定された場合には、ステップＳ１４２に進む。また、ハイパーテキスト言語ではないと判定されると、ステップＳ１４１３において、データ部分切出し装置２４で設定情報や伝送速度に合わせて、データ内容の一部を切り取り端末装置１に伝送する。ステップＳ１４１４において、端末装置１はデータ内容表示装置でデータ内容を表示する。
例えば、ステップＳ１４８で表示しているハイパーテキスト言語が、図１６に示すような場合には、ステップＳ１４９で端末装置１からサーバ装置２に伝送するデータ内容は、“**2-2-4**test1.fig”となる。ステップＳ１４１０において、設定情報“**2-2-4** ”が取り出され、ステップＳ１４１１では、データ名“test1.fig ”のデータ内容を検索する。次に、ステップＳ１４１３では、設定情報“**2-2-4** ”に合わせたデータの部分切り出しが行われ、端末装置１において、データ内容の一部が表示されることとなる（ステップＳ１４１４）。
以上のように、この実施の形態は、ユーザ選択データ名設定情報付加装置で、同時に表示するデータと同じデータ名にデータ部分切り出しの設定情報をユーザ選択データ名として付加することで、まずは、データ表示サイズやデータ品質、データ形式を端末装置の処理や表示能力に合わせて、サーバ装置でデータを変換してから端末装置に伝送し、ユーザは、端末装置において受信、表示されたデータ内容を見てから選択することによりユーザ選択データ名を伝送し、サーバ装置でデータ内容の部分切り出しの範囲を決定し切り出してから端末装置に伝送することによって、ユーザが、データ表示サイズやデータ品質、データ形式を変換したデータ内容と、データ内容の部分を切り替えて表示可能としたものである。
【００４３】
なお、この実施の形態５では、同時に表示するデータ（“test1.fig ”のデータ内容）は、そのまま変換表２９に基づいてデータの変換が行われたが、ユーザ選択データ名設定情報付加装置２３で選択データ名を付加する際に、ユーザ選択データ名設定情報付加装置２３が、ユーザ選択データに付加した設定情報を同時に表示するデータのデータ名“test1.fig ”へ付加することも可能である。
また、ユーザ選択データ名に付加される設定情報として、あらかじめユーザ選択データ名設定情報付加装置２３で決められている設定情報を付加する場合は、設定情報抽出装置１８は必要ない。また、別の設定情報を付加することを決めた場合には、あらかじめその別の設定情報をユーザ選択データ名設定情報付加装置２３に設定しておけば、別の設定情報を付加することも可能である。さらに、ユーザがデータ名入力時に設定情報を付加した場合には、設定情報抽出装置１８で抽出された設定情報をユーザ選択データ名設定情報付加装置２３で選択データ名に付加することも可能である。
また、この実施の形態５では、始めにデータ変換部でデータ表示サイズやデータ品質、データ形式を変換したものを表示し、次に、データ部分切り出ししたものを表示したが、順序が逆になってもよく、また、どちらの手順にも両方含むような形式とすることも可能である。
【００４４】
実施の形態６．
次に、実施の形態６について図３４を用いて説明する。
図１７は、図１においてユーザがデータ閲覧部５を備えたインターネット閲覧ソフトウェアからハイパーテキスト言語に関連付けられていないデータ名を入力することにより、サーバ装置２で作成されたハイパーテキスト言語とそれに関連付けられたデータ内容が低品質となって表示され、次に、ユーザがその表示されたデータ内容の一部をマウス等で選択すると、選択した部分のデータ内容の一部が高品質で表示される画面例を示したものである。このとき、サーバ装置２のハイパーテキスト言語作成装置１９の動作フローを示す。
【００４５】
図１８を用いて、この実施の形態６のデータ伝送・表示システムの動作フローを説明する。
ここでは、設定情報“**hyper** ”をハイパーメディア言語作成の識別子とするとする。ステップＳ１７１において、端末装置１のデータ名選択装置７でユーザが設定情報を付加してデータ名を入力すると、サーバ装置２に伝送される。次に、伝送されたデータ名は、ステップＳ１７２において、設定情報抽出装置によって設定情報が抽出される。次に、ステップＳ１７３において、設定情報がハイパーメディア言語作成の識別子だった場合、ステップＳ１７４に進む。ステップＳ１７５では、ユーザ選択データ名設定情報付きハイパーテキストをテキスト蓄積部２０にあらかじめ蓄積されているハイパーテキスト言語の情報よりハイパーテキスト言語作成装置１９が作成し、端末装置１に伝送する。受取った端末装置１は、ステップＳ１７５において、同時表示データ名取出し装置９により、ハイパーテキスト言語から、同時に表示するデータ内容のデータ名を取出し、データ名をサーバ装置２に伝送する。また、ハイパーテキスト言語は、ステップＳ１７８において、データ内容表示装置８にて表示する。ステップＳ１７３において、ハイパーテキスト言語作成の識別子でなかった場合には、ステップＳ１７６において、データ管理装置１４がデータ名からデータ内容を検索し、ステップＳ１７７において、データ変換部２５でデータ内容を変換表２９に応じて変換し、端末装置１に伝送する。このデータ内容は、先ほどの同時表示データ名に関連付けられたデータ内容である。受取った端末装置１は、データ内容表示装置８において、先ほど表示したハイパーテキスト言語と同じ画面上にデータ内容を表示する（ステップＳ１７８）。
例えば、テキスト蓄積部２０が図７に示すハイパーテキスト言語をあらかじめ蓄積しているものとする。また、設定情報として、“**hyper** ”をデータ名“test1.fig ”に付加して入力を行うと、サーバ装置２の設定情報抽出装置１８は、“**hyper** ”を抽出し、ハイパーテキスト言語作成装置１９がテキスト蓄積部２０に蓄積されている図７に示したハイパーテキストから図１６に示すようなハイパーテキスト言語を作成し、端末装置１に伝送することになる。
さらに、図１５のステップＳ１４９においてユーザがハイパーテキスト言語と同じ画面に表示されたデータ内容をマウス等を用いて選択し、そのデータ内容の一部が表示される動作フローは、図１５のステップＳ１４９以降と同じである。以上のように実施の形態は、サーバ装置は、さらにハイパーテキスト言語作成装置においてハイパーテキスト言語を作成し伝送することにより、データ内容蓄積部にハイパーテキスト言語のデータ内容がない場合でも、ユーザが、データ表示サイズやデータ品質、データ形式を変換したデータ内容と、データ内容の部分を切り替えて表示可能としたものである。
【００４６】
実施の形態７．
次に、実施の形態７について再び図３４を用いて説明する。
図１９は、図１においてユーザがデータ閲覧部５を備えたインターネット閲覧ソフトウェアからデータ名を入力することにより、それに関連付けられたデータ内容の一部だけが高品質で残りの部分は低品質となって表示される画面例を示したものである。このときのデータ伝送・表示システムの動作フローは、図２０のステップＳ１９１からステップＳ１９９のようになる。また、動作フローのステップＳ１９４において、ハイパーテキスト言語作成装置１９で作成されるハイパーテキスト言語は、図２１のようになる。
なお、ハイパーテキスト言語作成装置１９は、言語作成装置の一例である。
【００４７】
例えば、“**hyper2**”をハイパーテキスト言語を作成する設定情報とする。また、テキスト蓄積部２０には、図７のハイパーテキスト言語が蓄積されているものとする。そして、ユーザがステップＳ１９１において、“**hyper2**test1.fig ”を入力した場合、ステップＳ１９４において、ハイパーテキスト言語作成装置１９は、図２１のようなハイパーテキスト言語を作成する。端末装置１に伝送されたハイパーテキスト言語は、ステップＳ１９５において同時表示データ名取出し装置９で同時に表示されるデータ名を取り出す。この場合、“++2-2-1**test1.fig”，“**2-2-2**test1.fig”，“++2-2-3**test1.fig”，“++2-2-4**test1.fig”がデータ名として取り出され、再び、ステップＳ１９２において設定情報がそれぞれ抽出される。次にステップＳ１９３では、それぞれハイパーテキスト言語作成の設定情報ではないので、ステップＳ１９６に進み、それぞれデータ名が“test1.fig ”のデータ内容を検索する。次に、ステップＳ１９７において、設定情報に合わせたデータ内容の部分切り出しが行われる。例えば、設定情報の部分情報が、2-2-1 の場合、４分割したうちの左上の部分の切り出しが行われ、また、2-2-2 の場合は、４分割したうちの右上の部分の切り出しが行われる。
さらに、ステップＳ１９８においてそれぞれの切り出されたデータ内容について、データ変換が行われる。変換表が図１０であるとすると、先頭に“++”があるデータ名のデータ内容は、データ形式とデータ品質の変換が行われる。また、先頭に“**”があるデータ名のデータ内容は、変換が行われないことになる。最後にこれらのデータ内容は、端末装置１に送られ、データ内容表示装置８で表示される。この表示例が図１９の右の図のような一部のみデータ品質を変えた画像として表示される。
以上のように、実施の形態のサーバ装置は、データ内容が画像データの場合に１つの画像データを複数の部分の画像データに分割し、それぞれの画像データの形式や品質を変換して同時表示するようなハイパーテキスト言語をハイパーテキスト言語作成装置で作成することで、１つの画像データの一部分のデータ形式やデータ品質をユーザが自由に選択できるものである。
また、図３５に示すように、ハイパーテキスト言語作成装置１９とテキスト蓄積部２０と設定情報抽出装置１８をを端末装置１ａにおくことにしてもよい。こうすることにより、伝送量が削減でき、表示時間が速くなる。
【００４８】
実施の形態８．
次に、実施の形態８について再び図３３を用いて説明する。
この実施の形態８では、上記実施の形態５において、ユーザが指定したデータ名に関連付けられたデータ内容であるハイパーテキスト言語に同時表示データ名が複数あり、その１つにユーザ選択データ名がアンカー情報として付加されている場合に、最初に表示されたデータ内容の１つをマウス等で選択すると全てのデータ内容が変換されて表示することができるようにしたものである。
図２２（ａ）は、ユーザが指定したデータ名“kkkk2.html”からデータ管理装置１４により検索されたハイパーテキスト言語の例であり、ユーザ選択データ名設定情報付加装置２３で<a href=“sample.fig”> 及び</a>を付加したものが図２２（ｂ）である。また、図２３は、図２２のハイパーテキスト言語中に記述されたユーザ選択データ名“sample.html ”に関連付けられたハイパーテキスト言語のデータ内容の例である。例えば、ユーザが入力したデータ名を“kkkk2.html”とする場合、図１４と図１５の動作フローに沿って動作させると、“test1.fig ”，“test2.fig ”，“test3.fig ”，“test4.fig ”のそれぞれが変換表２９に基づいてデータ変換されたデータ内容で最初に端末装置１に同時に表示される。従って、この際、各データ名のデータがサイズ５Ｋｂｙｔｅ以上のＪｐｅｇ形式のデータであれば、図１０の変換表に基づいて、表示サイズはそのまま、Ｊｐｅｇ形式で、品質が１０％落としたデータを表示することになる。次に、ユーザが、“test1.fig ”のデータ内容が表示された部分をマウス等で選択すると、“sample.html ”が呼出され、図１０の変換表に基づいて、データが変換されるため、“test1.fig ”，“test2.fig ”，“test3.fig ”，“test4.fig ”のそれぞれの設定情報“**”により、結果的に、前記４つのデータ内容がデータ変換されない形で表示することができる。
以上のように、実施の形態は、同時表示データ内容が複数あった場合、１つのデータ内容に対する選択のみで、他のデータ内容の変換も同時に行えるものである。なお、ユーザ選択データ名設定情報付加装置２３で追加するユーザ選択データ名を“sample.html ”以外の別のデータ名にして、他の変換方式でデータ変換することも可能である。さらに、ユーザが設定情報を付加してデータ名を入力した場合は、設定情報抽出装置１８で抽出された設定情報が選択データ名に付加されるようにしてもよい。また、サーバ装置において、ユーザ選択データ名“sample.html ”の受信時に新たに同時に表示される他のデータ名“test1.fig ”，“test2.fig ”，“test3.fig ”，“test4.fig ”のそれぞれに対して設定情報抽出装置１８で抽出された設定情報を付加するようにしてもよい。
【００４９】
実施の形態９．
次に、実施の形態９について説明する。
この実施の形態９は、上記実施の形態５において、図１５のステップＳ１４１３の手前でデータ表示サイズを拡大することにより、図１３のようにデータ内容の一部をそのままの表示サイズで表示するのではなく、図２４のように拡大して表示することが可能となる。拡大されたデータ内容を表示しているハイパーテキスト言語にユーザ選択データ名を付加しておくことにより、ユーザは拡大されたデータの一部をマウス等で選択することにより、さらに拡大されたデータを表示することが可能となる。
以上のように、実施の形態のサーバ装置は、データ内容が画像データの場合にデータ内容の部分切り出しを行うことを繰り返すことで、データ内容の段階的な拡大が行えるものである。
また、サーバ装置において、データ内容が画像データの場合に、同じデータ内容を、一方はデータ品質を変換し、他方は部分切り出しを行い、端末装置で重ねあわせて表示する用にしてもよい。例えば、画像全体をデータ品質を落として表示すると同時に、画像の上半分を切り出して品質を落とさずに重ねて表示してもよい。
【００５０】
実施の形態１０．
次に、実施の形態１０について説明する。
図２５は、この発明の実施の形態１０であるデータ伝送・表示システムの構成図である。
図２５において、図１に示す実施の形態１と同一符号は同一又は相当部分を示し、２ａは従来からのサーバ装置であり、このサーバ装置２ａは、通信制御装置１０と、ユーザ・端末管理装置１１と、データ内容蓄積部１２と、データ名蓄積部１３と、データ管理装置１４とを備えているが、データ加工部１５と、ユーザ・端末管理装置１１と、端末設定情報管理装置１６と、端末設定蓄積部１７は備えていない。３０は中継装置であり、この中継装置３０は、端末装置１とサーバ装置２ａの双方と伝送路を用いた通信を行うための通信制御装置３１と、データ加工部１５と、ユーザ・端末管理装置１１と、端末設定情報管理装置１６と、端末設定蓄積部１７とを備えている。また、データ加工部１５は、実施の形態１と同様に、設定情報抽出装置１８とハイパーテキスト言語作成装置１９とテキスト蓄積部２０とデータ形式判定装置２１と同時表示データ名設定情報付加装置２２とユーザ選択データ名設定情報付加装置２３とデータ部分切出し装置２４とデータ変換部２５とを備えている。データ変換部２５は、データ表示サイズ変換装置２６、データ品質変換装置２７、データ形式変換装置２８及び変換表２９からなる。また、中継装置３０とサーバ装置２ａは、比較的高速な伝送路３２により接続されている。
【００５１】
この実施の形態１０の場合でも、端末装置１と中継装置３０を接続する伝送路３として、電話回線や広域無線通信など比較的低速な伝送路を用いることができる。また、端末装置として、携帯端末など比較的低速な処理能力や低能力の表示性能しか持たない端末装置を用いることができる。
【００５２】
実施の形態１１．
次に、実施の形態１１について説明する。
図２６は、この発明の実施の形態１１であるデータ伝送・表示システムの構成図である。
図２６において、図２５に示す実施の形態１０と同一符号は同一又は相当部分を示す。実施の形態１０では、１つのサーバ装置２ａに対し、１つの中継装置３０を設けた構成であったが、図２６に示す実施の形態１１においては、複数のサーバ装置２ａ〜２ｃに対し、１つの中継装置３０を設けた構成にしたものである。
【００５３】
この実施の形態１１の場合でも、実施の形態１０とほぼ同様の作用・効果が得られることはもちろんである。
なお、上記実施の形態では、ハイパーテキスト言語を例にして説明したが、他の言語でもよい。また、その他の形式のデータでもよい。
【００５４】
【発明の効果】
本発明によれば、ＬＡＮ（ローカル・エリア・ネットワーク）などの比較的高速な伝送路を介して伝送可能な画像、文書などのデータを蓄積しているサーバ装置から、電話回線や無線通信などの比較的低速な伝送路を用いても実用的な品質と時間で端末装置でそれらのデータが表示可能になる。
【００５５】
また、端末装置などの比較的低速な処理能力もしくは表示能力しか持たない端末装置を用いても、実用的な品質と時間でデータを表示することができる。
【００５６】
また、表示画面に合わせたデータやデータの一部を端末装置の装置構成を変更せずに要求・表示することが可能である。
【図面の簡単な説明】
【図１】  この発明の実施の形態１〜１１を統合したデータ伝送・表示システムを示す全体構成図である。
【図２】  この発明の実施の形態１のデータ伝送・表示システムを示す構成図である。
【図３】  この発明の実施の形態１における端末装置のデータ閲覧部でのデータ内容の一部を表示した画面例を示す図である。
【図４】  この発明の実施の形態１におけるデータ伝送・表示システムの動作フロー図である。
【図５】  この発明の実施の形態２におけるデータ伝送・表示システムの動作フロー図である。
【図６】  この発明の実施の形態２における端末装置のデータ閲覧部でのデータ内容の一部を表示した画面例を示す図である。
【図７】  この発明の実施の形態２におけるデータ内容蓄積部に蓄積されたハイパーテキスト言語の記述例を示す図である。
【図８】  この発明の実施の形態２における同時表示データ名に設定情報を付加したハイパーテキスト言語の記述例を示す図である。
【図９】  この発明の実施の形態３におけるデータ伝送・表示システムの動作フロー図である。
【図１０】  この発明の実施の形態３における変換表に蓄積・登録されている情報の表現例を示す図である。
【図１１】  この発明の実施の形態３における変換表に蓄積・登録されている情報の画像データ以外の表現例を示す図である。
【図１２】  この発明の実施の形態４における端末設定蓄積部に蓄積・登録されている情報の表現例を示す図である。
【図１３】  この発明の実施の形態５における端末装置のデータ閲覧部でのマウスを用いてデータ内容を表示した画面例を示す図である。
【図１４】  この発明の実施の形態５におけるデータ伝送・表示システムの動作フロー図である。
【図１５】  この発明の実施の形態５におけるデータ伝送・表示システムの動作フロー図である。
【図１６】  この発明の実施の形態５におけるユーザ選択データ名に設定情報を付加したハイパーテキスト言語の記述例を示す図である。
【図１７】  この発明の実施の形態６における端末装置のデータ閲覧部でのマウスを用いてデータ内容を表示した画面例を示す図である。
【図１８】  この発明の実施の形態６におけるデータ伝送・表示システムの動作フロー図である。
【図１９】  この発明の実施の形態７における端末装置のデータ閲覧部でのデータ内容を表示した画面例を示す図である。
【図２０】  この発明の実施の形態７におけるデータ伝送・表示システムの動作フロー図である。
【図２１】  この発明の実施の形態７におけるハイパーテキスト言語の記述例を示す図である。
【図２２】  この発明の実施の形態８におけるハイパーテキスト言語の記述例を示す図である。
【図２３】  この発明の実施の形態８における同時表示データ名に設定情報を付加したハイパーテキスト言語の記述例を示す図である。
【図２４】  この発明の実施の形態９における端末装置のデータ閲覧部でのマウスを用いてデータ内容を表示した画面例を示す図である。
【図２５】  この発明の実施の形態１０におけるデータ伝送・表示システムを示す構成図である。
【図２６】  この発明の実施の形態１１におけるデータ伝送・表示システムを示す構成図である。
【図２７】  従来のデータ伝送・表示システムを示す構成図である。
【図２８】  従来の端末装置のデータ閲覧部でのデータ内容を表示した画面例を示す図である。
【図２９】  この発明の実施の形態１のデータ伝送・表示システムを示す構成図である。
【図３０】  この発明の実施の形態２のデータ伝送・表示システムを示す構成図である。
【図３１】  この発明の実施の形態３のデータ伝送・表示システムを示す構成図である。
【図３２】  この発明の実施の形態４のデータ伝送・表示システムを示す構成図である。
【図３３】  この発明の実施の形態５と８のデータ伝送・表示システムを示す構成図である。
【図３４】  この発明の実施の形態６と７のデータ伝送・表示システムを示す構成図である。
【図３５】  この発明の実施の形態７のデータ伝送・表示システムを示す構成図である。
【符号の説明】
１  端末装置、２  サーバ装置、２ａ〜２ｃ  サーバ装置、３  比較的低速な伝送路、４  端末装置の通信制御装置、５  データ閲覧部、６  データ一時蓄積部、７  データ名選択装置、８  データ内容表示装置、９  同時表示データ名取出し装置、１０  サーバ装置の通信制御装置、１１  ユーザ・端末管理装置、１２  データ内容蓄積部、１３  データ名蓄積部、１４  データ管理装置、１５  データ加工部、１６  端末設定情報管理装置、１７  端末設定蓄積部、１８  設定情報抽出装置、１９  ハイパーテキスト言語作成装置、２０  テキスト蓄積部、２１  データ形式判定装置、２２  同時表示データ名設定情報付加装置、２３ユーザ選択データ名設定情報付加装置、２４  データ部分切出し装置、２５  データ変換部、２６  データ表示サイズ変換装置、２７  データ品質変換装置、２８  データ形式変換装置、２９  変換表、３０  中継装置、３１  中継装置の通信制御装置、３２  比較的高速な通信路。
【図１】
0003703282.tif 000002
【図２】
0003703282.tif 000003
【図３】
0003703282.tif 000004
【図４】
0003703282.tif 000005
【図５】
0003703282.tif 000006
【図６】
0003703282.tif 000007
【図７】
0003703282.tif 000008
【図８】
0003703282.tif 000009
【図９】
0003703282.tif 000010
【図１０】
0003703282.tif 000011
【図１１】
0003703282.tif 000012
【図１２】
0003703282.tif 000013
【図１３】
0003703282.tif 000014
【図１４】
0003703282.tif 000015
【図１５】
0003703282.tif 000016
【図１６】
0003703282.tif 000017
【図１７】
0003703282.tif 000018
【図１８】
0003703282.tif 000019
【図１９】
0003703282.tif 000020
【図２０】
0003703282.tif 000021
【図２１】
0003703282.tif 000022
【図２２】
0003703282.tif 000023
【図２３】
0003703282.tif 000024
【図２４】
0003703282.tif 000025
【図２５】
0003703282.tif 000026
【図２６】
0003703282.tif 000027
【図２７】
0003703282.tif 000028
【図２８】
0003703282.tif 000029
【図２９】
0003703282.tif 000030
【図３０】
0003703282.tif 000031
【図３１】
0003703282.tif 000032
【図３２】
0003703282.tif 000033
【図３３】
0003703282.tif 000034
【図３４】
0003703282.tif 000035
【図３５】
0003703282.tif 000036